(57)【要約】【課題】  解答用紙の採点結果の集計を簡単に行える技術を提供する。【解決手段】  撮像部１０２内のカメラによって撮像した資料の画像を投影装置に送り、スクリーンにその資料の画像を投影して授業を行うことができる資料提示装置１０１において、資料載置台１２１上に載置された解答用紙１２２を撮像部１０２内のカメラによって撮像し、その撮像画像を画像処理することで、解答用紙中における採点記入エリア１３１および解答者固有情報記入エリア１３２の記載内容を選択的に取得する。そして取得した点数と受験者固有情報とを関連付ける処理を行い、そのデータを記憶装置内に記憶する。この処理を解答用紙毎に行うことで、解答者と点数とを関連付けた表データを自動的に得ることができる。【選択図】  図１
2005352249.tif 000002
【特許請求の範囲】
【請求項１】
資料を撮像し、その撮像画像を表示媒体に表示させる機能を有する資料提示装置において、
用紙載置台と、
前記用紙載置台上に載置される解答用紙を撮像する撮像手段と、
前記解答用紙の記載内容を文字認識する文字認識手段と、
前記文字認識した内容を記憶する記憶手段と
を備えることを特徴とする資料提示装置。
【請求項２】
前記文字認識は、解答用紙に設けられた採点記入エリア、解答者固有情報記入エリア、およびテスト固有情報記入エリアから選ばれた少なくとも２カ所のエリアに記載された文字情報に対して行われることを特徴とする請求項１に記載の資料提示装置。
【請求項３】
前記採点記入エリア、解答者固有情報記入エリア、およびテスト固有情報記入エリアから選ばれた少なくとも２カ所のエリアに記載された文字情報を関連付けする演算手段をさらに備え、
前記記憶手段に前記関連付けされた情報が記憶されることを特徴とする請求項２に記載の資料提示装置。
【請求項４】
前記撮像手段または前記文字認識手段は、所定の色彩を選択的に撮像または認識する機能を有することを特徴とする請求項１〜３のいずれかに記載の資料提示装置。
【発明の詳細な説明】
【技術分野】
【０００１】
本発明は、採点した解答用紙に記載された点数の集計作業を行う機能を有する資料提示装置に関する。
【背景技術】
【０００２】
学校などにおいて、試験の解答用紙を採点した後に、採点結果を集計する作業が行われる。この集計作業を効率良く行う方法として、適当な表計算ソフトウェアをインストールしたパーソナル・コンピュータに、採点結果のデータをキーボードから手入力し、表計算ソフトウェアの機能を利用して集計作業を行う方法がある。
【０００３】
他方、スクリーン上に投影した画像を用いたプレゼンテーション手法を応用した授業形態が知られている。この手法においては、スクリーン上に図表等の資料を表示し、それを生徒に参照させながら説明が加えられ、授業が行われる。
【０００４】
このような手法に用いられる資料提示装置としては、特許文献１または２に記載されたものが知られている。
【０００５】
【特許文献１】特許３２０１７０７号公報
【特許文献２】特開２０００−３４１５８８号公報
【発明の開示】
【発明が解決しようとする課題】
【０００６】
上述した解答用紙の採点結果を集計する作業においては、データを手入力する手間があり、またデータ入力時の操作ミスによる誤入力の発生確率が高い問題がある。採点結果の集計は、教師にとって負担感が大きい仕事であり、簡単で間違いが発生し難く、また手軽に低コストで行えることが望まれている。
【０００７】
この解答用紙に記載された点数の集計作業を簡略化する方法として、マークシート方式の解答用紙を用いる方法が挙げられる。しかしながら、マークシート方式は、決められた解答様式に合わせた問題を作成しなければならず、また専用の採点装置が必要とされるので、学校単位やクラス単位で行われるようなテストにおいて利用するには適当でなく、かえって手間とコストが必要になってしまう。
【０００８】
本発明は、解答用紙に記載された採点データの集計をより簡便に低コストで行うことができる技術を提供することを目的とする。
【課題を解決するための手段】
【０００９】
本発明の資料提示装置は、資料を撮像し、その撮像画像を表示媒体に表示させる機能を有する資料提示装置において、用紙載置台と、前記用紙載置台上に載置される解答用紙を撮像する撮像手段と、前記解答用紙の記載内容を文字認識する文字認識手段と、前記文字認識した内容を記憶する記憶手段とを備えることを特徴とする。
【００１０】
本発明の資料提示装置は、スクリーン等の表示媒体に授業やプレゼンテーションに利用する画像を表示する資料提示機能と、解答用紙に記載された内容を文字認識し、その内容を記憶する機能を有する。本発明の資料提示装置は、資料提示機能を利用しての授業と、テストの解答用紙の記載内容を文字認識して記憶する機能を利用しての採点結果の集計作業等とに利用することができる。
【００１１】
資料提示機能としては、用紙載置台上に置かれた資料を撮像装置によって撮像し、その画像データ信号を投影装置等に送り、撮像した画像の表示を行わせる機能、あるいは用紙載置台に置かれた資料を撮像し、その画像データを一旦適当な記憶装置に記憶し、その記憶した画像データを授業等において適宜投影装置等に送り表示を行わせる機能を挙げることができる。
【００１２】
この一旦記憶した画像データを表示する機能として、画像表示を行おうとする際に、用紙載置台上に当該資料を載置し、その資料を装置側で認識して、予め記憶しておいた対応する画像データを検索し、その検索した画像データを投影装置等に送る機能を挙げることができる。この機能を利用することで、従来から広く利用されているＯＨＰ（オーバー・ヘッド・プロジェクタ）と同様の感覚で資料提示装置の資料提示機能を利用することができる。
【００１３】
なお、表示媒体としては、投影装置からの投影画像を映すスクリーン、液晶表示装置、ブラウン管、プラズマディスプレイ、ＥＬ表示装置等を利用することができる。
【００１４】
文字認識は、解答用紙に設けられた採点記入エリア、解答者固有情報記入エリア、およびテスト固有情報記入エリアから選ばれた少なくとも２カ所のエリアに記載された文字情報に対して行われる態様とすることが好ましい。
【００１５】
採点記入エリアとしては、採点結果の合計点を記載するエリアや、設問群あるいは設問毎の採点結果を記載するエリアを挙げることができる。解答者固有情報記入エリアは、解答者の氏名、学籍番号、所属クラスおよび学年等の解答者に関する固有情報を記載するエリアのことである。解答者の固有情報は、氏名であれば氏名を直接記載したものでもよいし、学籍番号のように記号化されたものであってもよい。テスト固有情報記入エリアというのは、テストの種類や科目に関する情報を識別するための記号コード等が記載されるエリアのことである。
【００１６】
本発明の資料提示装置において、採点記入エリア、解答者固有情報記入エリア、およびテスト固有情報記入エリアから選ばれた少なくとも２カ所のエリアに記載された文字情報を関連付けする演算手段をさらに備え、記憶手段に前記関連付けされた情報が記憶される
態様とすることは好ましい。
【００１７】
この態様によれば、解答用紙を資料載置台上に置き、撮像を行って解答用紙のイメージを読み込ませるだけで、例えば解答用紙に記載された解答者と採点結果（点数）とを関連付けた電子データを得ることができる。
【００１８】
この記載内容の関連付け機能を利用することで、例えば、テストの科目、解答者の氏名、解答者の所属クラス、採点結果の点数、さらには設問毎の点数分布といった内容をイメージ画像から表計算ソフトウェア等に落とし込み、相互に関連付けが行われたデータとしてデータ化し、それを半導体メモリやハードディスク装置等の適当な記憶媒体に記憶することができる。
【００１９】
この機能を利用すると、採点が終了した解答用紙を用紙載置台上に載せ、それを撮像装置により撮像することで、例えば採点結果と解答者の固有情報とを関連付けた電子データを得ることができる。この電子データは、用紙載置台上に解答用紙を置きそして撮像を行う操作を繰り返すことで、自動的に得ることができる。
【００２０】
この操作においては、キーボードを用いた文字入力を行わなくて済むので、誤入力の発生を回避することができる。また、解答用紙の撮像を行うだけでよいので、作業をスムースにそして簡略化することができる。また、授業に利用する資料提示装置を利用するので、設備のコスト負担を抑えることができ、また手軽に利用できる優位性が得られる。
【００２１】
本発明の資料提示装置は、そもそも資料提示装置が備えている機能、つまり資料を撮像し、その画像データを記憶する機能を流用しているため、別に採点集計用の装置を用意する必要がない。このことは、コストの負担増が少なくて済み、また教室内の備品を増やさなくて済む点で好ましい。
【００２２】
本発明の資料提示装置において、撮像装置は、所定の色彩を選択的に撮像する機能を有することは好ましい。この態様によれば、赤色のペン等の特定の色彩で記載された内容のみを選択的に撮像することができる。これにより、例えば点数を選択的に読み取る能力を高くすることができる。
【００２３】
本発明の資料提示装置において、文字認識手段が所定の色彩で表示された文字を選択的に認識する機能を有することは好ましい。この態様によれば、所定の色彩で記載された内容のみを選択的に認識することができる。
【発明の効果】
【００２４】
本発明によれば、授業に利用される資料提示装置を用いて解答用紙に記載された点数の自動集計を行うことができる。本発明により、解答用紙に記載された採点データの集計をより簡便に低コストで行うことができる技術が提供される。
【発明を実施するための最良の形態】
【００２５】
（実施形態の構成）
図１は、本発明を利用した資料提示装置の概要を示す模式図であり、図２は、図１に示す資料提示装置の構成の一例を示すブロック図である。
【００２６】
図１に示すように、資料提示装置１０１は、撮像部１０２、撮像部を支持するアーム１２４、答案用紙１２２やプレゼンテーション用の資料（図示せず）を載置するための用紙載置台１２１、および用紙載置台１２１に用紙が載置されたことを検出する載置検出装置１０５を備えている。
【００２７】
用紙載置台１２１には、位置合わせを行うための図示しない目安が表示されていて、解答用紙１２２を所定の位置に位置合わせして載置できるようになっている。
【００２８】
また、資料提示装置１０１は、取り外し可能な記憶媒体１１２を差し込み装着させるための記憶媒体装着口１２５を備えている。記憶媒体１１２としては、半導体メモリ、磁気ディスク、光磁気ディスク、光ディスク、装着および取り外しが自在なハードディスク装置といった公知の記憶媒体を採用することができる。
【００２９】
図２を参照して、資料提示装置１０１の仕組みについて説明する。撮像部１０２は、ＣＣＤカメラ１０３を内蔵し、アーム１２４を資料提示装置１０１本体に対して上下させることで、用紙載置台１２１との間の距離が調整される。また撮像部１０２は、図示しない光学系を備え、手動あるいは自動で焦点距離の調整等を行える構造を備えている。この例では、載置検出装置１０５は光学センサーであり、用紙載置台１２１上に図示しない資料あるいは答案１２２が載置された場合に、それらの載置が行われたことを検出する機能を有する。
【００３０】
資料提示装置１０１の本体１０４は、画像取り込み装置１０６、画像切り出し装置１０７、色抽出装置１０８、文字認識装置１０９、データ生成装置１１０、データ蓄積装置１１１、および画像生成装置１１３を備えている。
【００３１】
画像取り込み装置１０６は、カメラ１０３が撮像した画像信号を受信し、それを適当な信号形式に変換して取り込む機能を有する。画像切り出し装置１０７は、画像取り込み装置１０６が取り込んだ画像信号を処理し、特定の画像のみを抽出する機能を有する。
【００３２】
この例において、画像切り出し装置１０７は、撮像視野１３０内における採点記入エリア１３１と解答者固有情報記入エリア１３２とに記載されている画像のデータを選択的に抽出する。抽出する画像を選択する方法としては、予め設定しておいた撮像視野内の特定領域にある画像データを抽出する方法、特定の囲み表示やマーク表示を検出し、所定の領域における画像データのみを切り出す方法等を挙げることができる。
【００３３】
色抽出装置１０８は、画像切り出し装置１０７が切り出した画像の中から、特定の色彩情報だけを抽出する機能を有する。この機能により、例えば赤ペンで記載された赤字の内容だけが画像データとし選択的に抽出される。
【００３４】
文字認識装置１０９は、画像データを文字データに変換する機能を有する。この機能は、Optical Character Reader（光学式文字読み取り装置）において実用化されている技術を利用している。文字認識装置は、市販の光学スキャナーが備えている構成と同じものを採用することができる。
【００３５】
データ生成装置１１０は、採点記入エリア１３１に記載された点数と、解答者固有情報記入エリア１３２に記載された解答者固有情報とを関連付け、それを市販の表計算ソフトウェアのフォーマットデータ、あるいは市販の表計算ソフトウェアで扱うことが可能なフォーマットデータに変換する処理を行う。つまり、この例においては、データ生成装置１１０において、答案の点数と解答者固有情報とが互いに関連付けられ、それが適当な表計算ソフトウェアで取り扱うことができるフォーマットのデータとして生成される。
【００３６】
データ蓄積装置１１１は、データ生成装置１１０において生成されたデータを記憶する機能を有する。記憶媒体１１２は、取り外し可能な携帯型の半導体メモリである。記憶媒体１１２は、図１に示すように装着口１２５内の図示しないソケットに装着および取り外しが自在な構造を有している。記憶媒体１１２を利用することで、データ蓄積装置１１１に記憶させたデータを資料提示装置１０１外に持ち出すことができる。
【００３７】
画像生成装置１１３は、データ蓄積装置１１１に記憶されたデータを画像として表示するための信号を生成する機能を有する。本実施形態においては、答案の点数と解答者固有情報とが互いに関連付けられ、それが適当な表計算ソフトウェアで取り扱うことができるフォーマットにされたデータがデータ蓄積装置１１１に記憶されている。したがって、画像生成装置１１３において生成される画像データは、適当な表形式で表現された画像データとなる。
【００３８】
ディスプレイ装置１１４は、タッチパネル式液晶ディスプレイであり、画像生成装置１１３において生成された信号に基づいた画像を表示する機能。および資料提示装置１１１の動作を行わせるための各種の入力機能を有する。表示装置１１４としては、液晶表示装置、ＥＬ表示装置あるいはブラウン管を採用することができる。なお、資料提示装置１０１を操作するための入力装置を別に備えてもよい。
【００３９】
また、データ生成装置１１０において生成されたデータは、別に用意した図示しないパーソナル・コンピュータ等に送ることもできる。こうすることで、パーソナル・コンピュータを用いた試験結果に関する各種資料の作成等に、解答用紙から読み取ったデータを利用することができる。
【００４０】
また、資料提示装置１０１は、用紙載置台１２１上に載置された資料等の画像をカメラ１０３によって撮像し、その画像データを投影装置等に送り、スクリーン等に表示させる機能を有する。この場合、画像取り込み装置１０６で取り込んだ画像データが蓄積装置１１１に一旦記憶され、それを画像生成装置１１３によって適宜読み出し、それが投影装置等に送られる。また、画像取り込み装置１０６で取り込んだ画像データをリアルタイムで投影装置等に送り、カメラ１０３で撮像した画像をそのままスクリーン等に表示することもできる。画像の表示手段としては、ブラウン管モニター、液晶ディスプレイ、プラズマディスプレイ、ＥＬディスプレイ等を利用することもできる。
【００４１】
選択的に所定の色彩の表示（例えば赤ペンでの記載）のみを画像認識する構成として、カラーフィルタを用いても良い。例えば、撮像部１０２に備えた図示しない光学系に所定の波長帯域を選択的に透過するカラーフィルタを装着する構成を挙げることができる。この場合、カメラ１０３にこのカラーフィルタによってより分けられた波長帯域の光が到達し、所定の色彩の記載内容を選択的に撮像でき、それにより所定の色彩の記載内容の画像データを選択的に得ることができる。
【００４２】
（実施形態の動作）
以下、資料提示装置１０１の動作の一例を具体的に説明する。資料提示装置１０１は、スクリーン等に投影した画像を用いた資料提示機能と、解答用紙の点数を集計する集計機能の２つの機能を有する。
【００４３】
（集計機能を用いた動作の例）
以下、集計機能の一例を説明する。ここでは、図１に示す解答用紙１２２が用いられる場合を例に挙げて説明を加える。
【００４４】
採点の集計作業の前に、まず解答用紙を通常と同じ方法により採点する。すなわち、赤インクのペンを用いて、採点を行い、点数を採点記入エリア１３１に記入する。この作業は、通常の採点作業と何ら変わらない。
【００４５】
全ての解答用紙を採点したら、タッチパネル式の液晶ディスプレイ１１４を操作して、資料提示装置１０１を採点集計モードに設定し、採点の集計作業を開始する（ステップＳ３０１）。
【００４６】
集計作業においては、採点の終了した解答用紙１２２を一枚ずつ用紙載置台１２１上に所定の位置合わせを行い載置する。解答用紙１２２を用紙載置台１２１上に載置すると、載置検出装置１０５の機能により、その旨が検出され、ステップＳ３０２の判断がＹＥＳとなり、カメラ１０３による解答用紙１２２の撮像が行われる。撮像された画像は画像取り込み装置１０６によって取り込まれ、さらに画像切り出し装置１０７において、採点記入エリア１３１と解答者固有情報記入エリア１３２とにおける画像が切り取られる。
【００４７】
切り取られた画像は、画像切り出し装置１０７内のメモリに蓄積され（ステップＳ３０３）、さらにこの蓄積された画像データの採点記入エリア１３１における画像データに対して、色抽出処理が施されて（ステップＳ３０４）、赤色の色彩データのみが抽出される。
【００４８】
ステップＳ３０４の後、文字認識装置１０９において、ステップＳ３０４において色抽出処理が施された画像データおよびステップＳ３０３において蓄積された解答者固有情報記入エリア１３２の画像データに対して文字認識処理が施される（ステップＳ３０５）。この文字認識処理が行われることで、図形データであった画像データが文字データに変換される。
【００４９】
ステップ３０５において文字認識処理を行った後、文字認識できなかったデータがないか検索し、ステップＳ３０５における文字認識が正常に行われたか否かを判断する（ステップＳ３０６）。ついで変換された文字データに基づいて、点数と受験者コードとを関連付けたデータを作成する（ステップＳ３０７）。
【００５０】
ステップＳ３０７の後、得点と受験者コードの２点について文字認識が完了しているか否かを検査する（ステップ３０８）。ステップＳ３０８の判断がＹＥＳであれば、ステップＳ３０９に、ＮＯであればステップＳ３１０に進む。
【００５１】
ステップＳ３０９においては、ステップＳ３０７において得られたデータを資料提示装置１０１の内部に記憶させるか否かが判断され（ステップＳ３０９）、データを内部に記憶させるのであれば、ステップＳ３１１に進む。また、データを内部に記憶させず、外部に送出するのであれば、ステップＳ３１２に進む。
【００５２】
ステップＳ３１０においては、ステップＳ３０８の判断の繰り返し回数がリミット（予め定めた最終回数目）であるか否かが判断され（ステップ）、ステップＳ３０８の判断の繰り返し回数がリミットであれば、ステップ３０２以下の処理を再度行い、そうでなければステップＳ３０４以下の処理を再度行う。ステップＳ３１０において判断されるステップＳ３０８の繰り返し回数としては、例えば３回が選択される。
【００５３】
ステップＳ３１０以下の処理を実行することで、文字認識およびその認識した文字データに基づくデータ関連付けの処理を確実に行うことができる。
【００５４】
ステップＳ３１１では、得られたデータが蓄積装置１１１に記憶する処理が実行され、ステップＳ３１２では、データを資料提示装置１０１外のパーソナル・コンピュータ等へ送出する処理が実行される。なお、ステップＳ３１２において、データを資料提示装置１０１の外部に送出した場合、ステップＳ３０２の前段階に戻り、次の解答用紙に対する処理を実行する。
【００５５】
ステップＳ３１１においてデータ蓄積装置１１１にデータを記憶した後、外部メモリである取り外し可能な記憶媒体１１２にデータを記憶するか否かが判断され、この判断がＹＥＳであれば記憶媒体１１２にデータを記憶し（ステップＳ３１４）、さらにステップ３１５に進む、ステップＳ３１３の判断がＮＯであれば、ステップＳ３１４を飛ばしてステップＳ３１５に進む。
【００５６】
ステップＳ３１５においては、データを表示装置１１４へ表示させるか否かを判断し、判断結果がＹＥＳであれば表示を行い（ステップＳ３１６）、ステップＳ３０２の前段階に戻る。こうして、１枚の解答用紙に対する処理が終了し、次の解答用紙に対する処理が再び繰り返される。なお、ステップＳ３１６の判断がＮＯである場合、表示装置１１４へのデータの表示を行わずにステップＳ３０２の前段階に戻る。
【００５７】
以上の処理手順が、１枚１枚の解答用紙に対して繰り返し行われることで、解答者の固有データと採点結果とが関連づけられた一連のデータが得られる。このデータを適当な表計算アプリケーションソフトウェアによって処理することで、平均点、偏差値、各解答者の科目毎の点数分布、過去からのテスト結果の推移、科目毎の点数分布といった統計データを簡単に得ることができる。
【００５８】
図１に示す例においては、解答用紙１２２にテスト固有情報記入エリアが設けられていないが、適当な場所にテスト固有情報記入エリアを設け、このエリアに記載された科目に関する情報等を受験者コードや採点結果と関連付けさせてもよい。このようにすることで、例えば科目毎の点数の集計を行うことができる。また、図１の採点記入エリア１３１は、合計点数を記載する場合の例であるが、設問毎に採点を記入するように採点記入エリアを設けてもよい。このようにすることで、設問毎の正解率といったデータを得ることができる。
【００５９】
（プレゼンテーション時の動作の例）
以下、資料提示装置１０１の資料提示機能の一例を説明する。ここでは、スクリーン上に投影装置から図表や写真等の視覚資料を表示させ、それを用いて授業を行う場合を例に挙げ説明を加える。
【００６０】
まず授業の前に、教師は提示する資料を資料提示装置１０１に登録する作業を行う。この作業は、資料提示装置１０１を資料の登録モードに設定し、その状態において資料を用紙載置台１２１上に載置することで行う。資料が載置されると、それが検出され、カメラ１０３によって資料が撮像されて、その画像データがデータ蓄積装置１１１その他に記憶される。この際、資料に付与された固有識別情報（例えば通し番号）が認識され、画像データとこの固有識別情報とが関連付けられて記憶される。
【００６１】
授業が行われる際において、登録済みの資料を用紙載置台１２１上に載置すると、資料に記載された固有識別情報が読み取られ、それに基づいて記憶されている該当する資料の画像データが読み出される。この読み出された画像データは投影装置に送られ、スクリーン上に当該資料の画像が映し出される。そして教師は、このスクリーン上に映し出された資料の画像を用いながら授業を進めることができる。
【００６２】
なお、上述した資料の登録を行わず、用紙載置台１２１に載置した資料をカメラ１０３で撮像し、その撮像画像を直接スクリーン上に投影し表示してもよい。この場合、通常のＯＨＰと同じ使用の仕方になる。
【００６３】
（本実施形態の有用性）
以上の説明から明らかなように、本発明の資料提示装置は、資料提示機能を利用した授業での利用、そして答案の採点結果の集計機能を利用した点数の集計作業への利用の２通りに用いることができる。
【００６４】
すなわち、授業時には、資料提示機能を利用して資料等をスクリーン上に表示し、その表示内容を利用した授業を行う。そして、試験の点数の集計作業時には、解答用紙を用紙載置台上に載置し、撮像を行うだけで、採点結果の集計機能を利用した点数集計作業を行う。したがって、採点結果の集計を行うのに、別に専用の装置を導入する必要がなく、授業において使用する資料提示装置を利用すればよい利便性が得られる。
【００６５】
資料提示装置には、提示する資料を載置するための用紙載置台と、この用紙載置台に載置された資料を撮像する撮像装置とが備わっているので、上述したような採点結果の集計機能を兼ね備えるのに、大きなコスト負担が発生しない点でも本発明は有用である。
【産業上の利用可能性】
【００６６】
本発明は、学校での授業において利用される資料提示装置に適用することができる。
【図面の簡単な説明】
【００６７】
【図１】本発明の資料提示装置の一例を示す斜視図である。
【図２】図１に示す資料提示装置の構成を示すブロック図である。
【図３】図１に示す資料提示装置の動作の一例を示すフローチャートである。
【符号の説明】
【００６８】
１０１…資料提示装置、１０２…撮像部、１０３…カメラ、１０４…資料提示装置本体、１０５…載置検出装置、１０６…画像取り込み装置、１０７…画像切り出し装置、１０８…色抽出装置、１０９…文字認識装置、１１０…データ生成装置、１１１…データ蓄積装置、１１２…記憶媒体、１１３…画像生成装置、１１４…表示装置、１２１…用紙載置台、１２２…解答用紙、１２４…アーム、１２５…記憶媒体装着口、１３０…撮像視野、１３１…採点記入エリア、１３２…解答者固有情報記入エリア。
【図１】
2005352249.tif 000003
【図２】
2005352249.tif 000004
【図３】
2005352249.tif 000005